(57)【要約】【課題】複数の写真等の画像のコレクションを、それらの画像が外部から視認可能な状態で快適に保管、携帯等することを可能とする手段を提供する。【解決手段】装飾具１は、偏平な板状体である本体部１１と、本体部１１の側面の１つの概ね中央に外側に突起するように設けられた第１の係着部１２と、第１の係着部１２が設けられた側面と対向する位置の側面の概ね中央に外側に突起するように設けられた第２の係着部１３とを備えている。第１の係着部１２と第２の係着部１３は、押し付け合う方向に所定以上の力を加えると係着し、引き離す方向に所定以上の力を加えると係着が解除される。係着された第１の係着部１２ｔ第２の係着部１３とは、所定の角度の範囲内で自在に回動可能である。装飾具１の平板な面にはプリントシールを貼り付けるための領域１１１が設けられている。【選択図】図１
2012010967.tif 000002
【特許請求の範囲】
【請求項１】
板状体である本体部と、
前記本体部の外面のうち互いに対向する平板な２つの面を除くいずれかの面上に設けられた第１の係着部と、
前記本体部の外面のうち互いに対向する平板な２つの面を除くいずれかの面上に設けられ、前記第１の係着部と同じ構造の係着部と互いに係着可能な第２の係着部と
を備え、
前記第１の係着部と同じ構造の係着部と前記第２の係着部とは互いに着脱可能に係着する構造を有する
装飾具。
【請求項２】
前記第１の係着部と同じ構造の係着部と前記第２の係着部とは互いに、少なくとも所定の角度の範囲内で回動自在に係着する構造を有する
請求項１に記載の装飾具。
【請求項３】
外部から視認可能なように画像の形成されたシートであって、前記本体部の前記平板な２つの面のうち少なくとも一方の面上に貼付されたシートを備える
請求項１または２に記載の装飾具。
【請求項４】
前記本体部は前記平板な２つの面に平行な面上にシートを、当該シートに形成された画像が外部から視認可能なように保持可能である
請求項１または２に記載の装飾具。
【請求項５】
前記本体部には、前記平板な２つの面に垂直な方向において外部から視認可能なように画像が形成されている
請求項１または２に記載の装飾具。
【請求項６】
環状体である本体部と、
前記本体部の外面上に設けられ、請求項１乃至５のいずれかに記載の装飾具が備える前記第１の係着部もしくは前記第２の係着部と互いに係着可能な係着部と
を備えるフック。
【発明の詳細な説明】
【技術分野】
【０００１】
本発明は、画像表示機能を備えた装飾具およびその装飾具用のフックに関する。
【背景技術】
【０００２】
自分の顔や姿が写った写真をプリントしたシート（以下、「プリントシート」と呼ぶ）を交換し合ったり、複数の友人が一緒に写った同じ写真をプリントしたプリントシートをそれらの複数の友人が各々持ち合ったりすることが広く行われている。
【０００３】
これらのプリントシートは通常、交換や携帯が容易なように、一辺の長さが15ミリメートル〜30ミリメートル程度の小型の長方形である。また、裏面に粘着層が設けられたプリントシート（以下、「プリントシール」と呼ぶ）も広く普及している。
【０００４】
プリントシートを身の回り品に取り付けるためのホルダが世の中に出回っている。例えば、特許文献１にはプリントシートを挟み込む透明・平板な樹脂ケースにチェーンが取り付けられた構成のホルダが提案されている。ユーザは好みのプリントシートをセットしたホルダ本体をチェーンにより鞄の手提げ部分などに吊り下げることにより、プリントシートを擦れ等による破損から保護しつつ持ち歩くことができる。
【先行技術文献】
【特許文献】
【０００５】
【特許文献１】登録実用新案第３０３８２６５号公報
【発明の概要】
【発明が解決しようとする課題】
【０００６】
プリントシートを交換し合う習慣のある人や、プリントシートを友人とともに作成する習慣のある人は、当然ながら数多くのプリントシートのコレクションを持つことになる。それらの一つ一つを、例えば上述した特許文献１において提案されているホルダにセットして身の回り品に取り付けようとすると、同じ場所に多くのホルダが密集することになり各々のプリントシートにプリントされている写真を見ることが困難となるとともに、全体としての美観が損なわれたり、携帯性が損なわれたりする。
【０００７】
本発明は、上述した事情に鑑み、複数の写真等の画像のコレクションを、それらの画像が外部から視認可能な状態で快適に保管、携帯等することを可能とする手段を提供することを目的とする。
【課題を解決するための手段】
【０００８】
上記の目的を達成するため、本発明は、
板状体である本体部と、
前記本体部の外面のうち互いに対向する平板な２つの面を除くいずれかの面上に設けられた第１の係着部と、
前記本体部の外面のうち互いに対向する平板な２つの面を除くいずれかの面上に設けられ、前記第１の係着部と同じ構造の係着部と互いに係着可能な第２の係着部と
を備え、
前記第１の係着部と同じ構造の係着部と前記第２の係着部とは互いに着脱可能に係着する構造を有する
装飾具
を第１の実施態様として提供する。
【０００９】
また、上記の第１の実施態様において、
前記第１の係着部と同じ構造の係着部と前記第２の係着部とは互いに、少なくとも所定の角度の範囲内で回動自在に係着する構造を有する
構成が第２の実施態様として採用されてもよい。
【００１０】
また、上記の第１もしくは第２の実施態様において、
外部から視認可能なように画像の形成されたシートであって、前記本体部の前記平板な２つの面のうち少なくとも一方の面上に貼付されたシートを備える
構成が第３の実施態様として採用されてもよい。
【００１１】
また、上記の第１もしくは第２の実施態様において、
前記本体部は前記平板な２つの面に平行な面上にシートを、当該シートに形成された画像が外部から視認可能なように保持可能である
構成が第４の実施態様として採用されてもよい。
【００１２】
また、上記の第１もしくは第２の実施態様において、
前記本体部には、前記平板な２つの面に垂直な方向において外部から視認可能なように画像が形成されている
構成が第５の実施態様として採用されてもよい。
【００１３】
また、本発明は、
環状体である本体部と、
前記本体部の外面上に設けられ、上記の第１乃至第５の実施態様のいずれかの装飾具が備える前記第１の係着部もしくは前記第２の係着部と互いに係着可能な係着部と
を備えるフック
を第６の実施態様として提供する。
【発明の効果】
【００１４】
本発明の第１の実施態様にかかる装飾具によれば、２個以上の装飾具を数珠つなぎに連結してゆき、装飾具の平板な本体部の表面もしくは内部にプリントシートを貼付または挟み込むことにより、複数のプリントシートの画像を外部から視認可能な状態で身の回り品等に取り付けることが可能となる。その際、隣接する装飾具の係着部間の着脱により容易に個々の装飾具を他の装飾具に取り付けたり取り外したり、それらの順序を変更したりすることができるため、例えば自分のプリントシートを貼付した装飾具を複数、チェーン状にして鞄等に取り付けておき、出会った人にそれらのうちの１個を取り外して渡したり、誰かからもらったプリントシートの貼付された装飾具を自分の鞄等に取り付けられている装飾具に連結することにより、自分のプリントシートのコレクションにそれを加えることができる。
【００１５】
本発明の第２の実施態様にかかる装飾具によれば、互いに連結された装飾具間の位置関係が少なくとも所定の角度の範囲内で自在に変更可能であるため、連結された装飾具群が全体としてチェーンのように変形可能となり、外部からの力による破損が生じにくい、身体にぶつかった場合にも安全性が高い、取り付け位置の選択における自由度が高まる、例えば鞄等に取り付けた場合にじゃらじゃらと動いて注意を引く、等の利便性が得られる。
【００１６】
本発明の第３の実施態様にかかる装飾具によれば、本体部の平板な面上にプリントシートが貼付されているため、プリントシートに印刷等された画像によりそれを見る者に対する装飾具の装飾性やメッセージ性が得られる。
【００１７】
本発明の第４の実施態様にかかる装飾具によれば、平板な本体部のいずれかの場所にプリントシートが外部から視認可能な状態で保持されているため、プリントシートに印刷等された画像によりそれを見る者に対する装飾具の装飾性やメッセージ性が得られる。
【００１８】
本発明の第５の実施態様にかかる装飾具によれば、本体部の平板な面上に画像が印刷等されているため、その画像によりそれを見る者に対する装飾具の装飾性やメッセージ性が得られる。
【００１９】
本発明の第６の実施態様にかかるフックによれば、身の回り品等に対する本発明にかかる装飾具の取り付け、取り外しが容易に行える。
【図面の簡単な説明】
【００２０】
【図１】図１は、本実施形態にかかる装飾具とフックを連結してなる連結体の斜視図である。
【図２】図２は、本実施形態にかかる装飾具とフックを連結してなる連結体の側面図である。
【図３】図３は、本実施形態にかかる装飾具の側面図である。
【図４】図４は、本実施形態にかかる装飾具の側面図である。
【図５】図５は、本実施形態にかかるフックの側面図である。
【図６】図６は、本実施形態にかかるフックの側面図である。
【発明を実施するための形態】
【００２１】
［１．実施形態］
以下、本発明の一具体例である実施形態を、図面を用いて説明する。図１は本実施形態にかかる装飾具１を２個と、本実施形態にかかるフック２を１個、連結した連結体の斜視図である。図２は同連結体を装飾具１の平板な面に垂直な方向から見た側面図（図２（ａ））と、平板な面と平行かつ装飾具１およびフック２の連結の方向に概ね垂直な方向から見た側面図（図２（ｂ））である。なお、図２には装飾具１およびフック２の寸法（単位：ミリメートル）および隣接するパーツ間が自在に回動可能な範囲を示す角度が例示されている。
【００２２】
なお、本願において「平板な面」は、装飾具１が備える外面のうち面積が最も広い互いに対向する２面を差す言葉として用いられ、数学的に平らな面を意味する言葉としては用いられない。
【００２３】
図１および図２に示される連結体に含まれる２個の装飾具１の各々の平板な面上には、１７ミリメートル×２４ミリメートルの長方形のやや窪んだ領域１１１が設けられている。領域１１１は、概ね１７ミリメートル×２４ミリメートルの長方形サイズのプリントシールを貼り付けるための領域である。なお、このサイズは１６分割のプリントシールにおいて広く採用されているサイズである。
【００２４】
図２に示されるように、隣接する装飾具１同士、もしくは装飾具１とフック２とは、ちょうど関節のように、一方のパーツの凹部に他方のパーツの凸部が嵌り込んだ状態で回動可能である。すなわち、互いに連結されたパーツ同士の相対的な位置関係は、連結の方向を基準として、その方向を軸とする３６０度いずれの方向にも２５度の範囲内において自在に変化する。
【００２５】
装飾具１同士および装飾具１とフック２が上述したように所定の角度の範囲内で回動自在に連結されるため、連結体は全体としてチェーンのようにある程度の柔軟性を持った紐状体を形成する。そして、例えば鞄などの身の回り品に取り付けられた連結体は、ユーザの動きに応じて、装飾具１の素材によってはジャラジャラと音をさせながら、揺れ動く。その動きや、場合によっては音が、人目をひくのに役立つ。
【００２６】
このように、装飾具１およびフック２の連結体がチェーンのような紐状体を形成することにより、連結体に多少の無理な力が加わっても意図せず連結が解けたり、連結部が破損したりすることがない。また、全体として柔軟性を持つため、身体にぶつかった場合などにも危険性がない。
【００２７】
本実施形態にかかる連結体は通常のチェーンと異なり、平板なパーツの連結体であるため、例えば鞄に取り付けられた場合、鞄の外側面に沿って取り付け位置から下方にぶら下がることになるが、その際、各々の装飾具１の平板な面が鞄の外側面に接するように自然と装飾具１がその向きを変えるため、領域１１１に貼られたプリントシール上に印刷等された画像が外部から見えやすい。さらに、装飾具１が互いに折り重なることもないため、装飾具１に貼られた個々のプリントシールの画像が一覧でき、望ましい。
【００２８】
ユーザは、数多くのプリントシールの各々を領域１１１に貼り付けた装飾具１を数珠つなぎ状に連結し、その一方の端部に配置される装飾具１にさらにフック２を連結する。そして、フック２が備える環状部に例えば紐を通し、身の回り品などにその紐を結びつけることにより、連結体を身の回り品に取り付ける。
【００２９】
ユーザは、そのように数珠つなぎ状に連結した複数の装飾具１のうち任意の装飾具１を連結体から取り外し、例えば知人・友人に渡すことができる。また、ユーザは知人・友人からもらった装飾具１を連結体のフック２が連結されている端部と反対側の端部や、連結体の途中の希望する場所に連結させることができる。そのようにして、プリントシールを、そのプリントシールの貼られた装飾具１とともに、自由に受け渡すことができる。
【００３０】
上記のように、ユーザが自由に装飾具１を他の装飾具１に連結したり、連結されている装飾具１同士の連結を解いたりすることが可能なように、装飾具１には２種類の係着部が設けられている。
【００３１】
図３は、装飾具１を３方向の各々から見た場合の側面図である。なお、図３には装飾具１の寸法や丸め度、そして形状を示す角度が例示されている。図４は、図３に示される側面図の１つを、説明のために取り出した図である。
【００３２】
装飾具１は、例えばアクリル樹脂を素材とし、一体成形により成形されている。図３および図４に示されるように、装飾具１は平板な本体部１１と、本体部１１の４つの側面のうちの１つの概ね中央に外向けに突起するように設けられた第１の係着部１２と、第１の係着部１２が設けられている側面に対向する側面の概ね中央に外向けに突起するように設けられた第２の係着部１３とを備えている。
【００３３】
第１の係着部１２は、連結の方向に突起した球形突起部を備えている。第２の係着部１３は、連結方向に開口部を有する球形中空部を形成するお椀状の突起部を備えている。第１の係着部１２の球形突起部の直径は、第２の係着部１３の球形中空部の直径と同じか僅かに短く、１個目の装飾具１の第１の係着部１２の球形突起部が２個目の装飾具１の第２の係着部１３の球形中空部に嵌り込むことにより、それらの装飾具１が互いに連結される。
【００３４】
第２の係着部１３および本体部１１のうち第２の係着部１３が設けられている側の所定の範囲内の部分（図３に従えば、第２の係着部１３が設けられている側面から３ミリメートルの範囲内の部分）には、本体部１１の平板な面に平行な面で装飾具１の厚み方向中央で本体部１１および第２の係着部１３を切り裂くように、溝１１２が設けられている。
【００３５】
溝１１２が設けられていることにより、第１の係着部１２の球形突起部を第２の係着部１３の球形中空部に嵌め込むように押し付けると、第２の係着部１３の突起部が装飾具１の素材の弾性により一時的に開く。また、溝１１２が設けられていることにより、互いに連結されている装飾具１の連結を解く目的で第２の係着部１３の球形中空部に嵌め込まれている第１の係着部１２の球形突起部を第２の係着部１３から引き抜く方向に力を加えると、第２の係着部１３の突起部が装飾具１の素材の弾性により一時的に開く。その結果、装飾具１の連結および連結の解除が容易に可能となる。
【００３６】
なお、溝１１２のサイズや位置は、第１の係着部１２および第２の係着部１３の形状や装飾具１の素材等に応じて調整され、一般的なユーザが意図的に装飾具１の連結もしくは連結の解除を行おうと強い力を加えると第２の係着部１３の突起部が開き、通常の力を加えた程度では第２の係着部１３の突起部が開かない。そのため、ユーザが意図せぬ時に連結体の一部が脱落することはない。また、例えば連結体が何かに引っ掛かったような場合には、連結体のいずれかの部分で装飾具１間の連結が解かれるため、ユーザが連結体により意図せぬ方向に強く引っ張られ、事故に巻き込まれるといった危険性がない。
【００３７】
図５は、フック２を３方向の各々から見た場合の側面図である。なお、図５にはフック２の寸法や丸め度が例示されている。図６は、図５に示される側面図の１つを、説明のために取り出した図である。
【００３８】
フック２は、例えばアクリル樹脂を素材とし、一体成形により成形されている。図５および図６に示されるように、フック２は環状体である本体部２１と、本体部２１の一方の外側面上に外向けに突起するように設けられた係着部２２とを備えている。
【００３９】
係着部２２は、装飾具１の第１の係着部１２と同様の形状であり、連結の方向に突起した球形突起部を備えている。そのため、フック２の係着部２２は装飾具１の第１の係着部１２と同様に、装飾具１の第２の係着部１３と互いに回動可能に係着される。すなわち、ユーザはフック２の係着部２２を装飾具１の第２の係着部１３に押し込むように力を加えることにより装飾具１にフック２を連結することができ、逆の方向に力を加えることにより連結されたフック２を装飾具１から取り外すことができる。
【００４０】
数珠つなぎ状に連結された装飾具１の一方の端部（第２の係着部１３に連結が行われていない側の端部）に対しフック２を連結することにより、フック２の本体部２１に例えば紐を通し、その紐を身の回り品等に結びつけることにより、本実施形態にかかる連結体を容易に身の回り品等に取り付けることができる点は既に説明したとおりである。
【００４１】
以上説明したように、本実施形態にかかる装飾具１およびフック２によれば、ユーザはプリントシールを表面に貼った装飾具１を希望する数だけ連結し、身の回り品等に取り付けることにより、プリントシールのコレクションを、プリントシールの各々に形成されている画像がいずれも見えやすい状態で、好みの場所に配置し、携帯等することができる。
【００４２】
また、本実施形態にかかる装飾具１およびフック２によれば、ユーザは連結体から任意の装飾具１を容易に取り外すことができるため、例えば自分の写真のプリントシールの貼られた装飾具１を複数連結しておき、知人・友人等にそれらの１個を取り外して渡す、といった利用の仕方ができ、便利である。
【００４３】
また、本実施形態にかかる装飾具１およびフック２によれば、ユーザは誰かからもらった装飾具１を自分の連結体に連結することにより、容易に自分のプリントシールのコレクションに新たにもらったプリントシールを追加することができる。
【００４４】
さらに、本実施形態にかかる装飾具１およびフック２によれば、ユーザは任意の装飾具１を自由に取り外したり連結したりできるため、例えばプロ野球選手の顔写真がプリントされたプリントシールを友人同士で交換し合って、それらのプリントシールのコレクションを行う、といった利用の仕方も可能である。
【００４５】
なお、本実施形態にかかる装飾具１およびフック２を連結してなる連結体は、全体としてチェーン状の紐状体となるため、その用途は身の回り品等に取り付けることに限られず、そのような紐状体を利用可能な様々なシーンにおいて利用可能である。例えば、シーリングライトのＯＮ／ＯＦＦを切り替えるためのスイッチに結びつければ、本実施形態にかかる連結体をシーリングライトのＯＮ／ＯＦＦ用の紐の延長紐として利用することができる。
【００４６】
［２．変形例］
上述した実施形態は本発明の技術的思想の範囲内で様々に変形可能である。以下にそのような変形例を示す。
【００４７】
フック２は、環状体である本体部２１に、装飾具１の第１の係着部１２と同様の形状の係着部２２を設けた構造を備えるものとしたが、本体部２１および係着部２２の形状や構造は様々に変形可能である。
【００４８】
例えば、本体部２１を、一般的に「かに爪金具」と呼ばれる開閉可能な環状体とすることにより、ユーザがフック２を身の回り品等に取り付ける際、紐などを用いずに直接、取り付け可能としてもよい。
【００４９】
また、係着部２２を、装飾具１の第２の係着部１３と同様の形状としてもよい。その場合、フック２は数珠つなぎ状に連結された装飾具１のうち、第１の係着部１２に何も連結されていない側の端部に取り付けられることになる。第１の係着部１２と同様の形状の係着部２２を備えるフック２と、第２の係着部１３と同様の形状の係着部２２を備えるフック２とを両方用いれば、連結体の両端をフックとすることができるため、連結体の取り付け方の自由度が高まる。
【００５０】
装飾具１およびフック２の寸法、可動域の角度、形状の細部、素材等は様々に変更可能である。すなわち、装飾具１は平板な本体部と、平板な面を除くいずれかの側面上に設けられた互いに着脱可能な２以上の係着部を備えていれば、その寸法、可動域の角度、形状の細部、素材等は様々に変更可能である。また、フック２は環状体である本体部と、本体部の外側面上に設けられた係着部であって、装飾具１の係着部のいずれかと着脱可能である係着部を備えていれば、その寸法、可動域の角度、形状の細部、素材等は様々に変更可能である。
【００５１】
従って、例えば装飾具１が３個以上の係着部を備える構成や、装飾具１の備える２個の係着部が互いに対向する側面上ではなく、互いに隣接する側面上に、垂直方向に配置される構成などが採用されてもよい。その場合、ユーザは係着部の配置が異なる装飾具１を自由に組み合わせることにより、平面的もしくは立体的な構造をもつ連結体を形成することが可能となる。
【００５２】
また、第１の係着部１２および第２の係着部１３や係着部２２の形状も、凸部および凹部のように雌雄の別がある構造ではなく、雌雄同体の係着構造が採用されてもよい。その場合、ユーザは装飾具１の連結の向きを自由に選択することができ、便利である。
【００５３】
雌雄同体の係着構造の一例として、例えば、装飾具１に第２の係着部１３と同様の形状の係着部を２つ設け、そのような構造を備える２つの装飾具１を互いに連結する際に、第１の係着部１２と同様の形状の係着部を両側に備えた連結パーツを用いることが考えられる。このように、装飾具１が備える２以上の係着部は、他の装飾具１の係着部に直接係着可能な構造に限られず、連結パーツを介して係着可能な構造であってもよい。
【００５４】
上述の実施形態においては、装飾具１の外表面に設けられた領域１１１にプリントシールを貼り付けることにより装飾具１に画像を配置するものとしたが、装飾具１に画像を配置する方法は、外部からその画像を視認可能である限り、様々な方法が採用され得る。
【００５５】
例えば、上述した特許文献１において提案されているように、装飾具１の本体部１１を、プリントシートを載せ置く基部と、基部上に載せ置かれたプリントシートを上から挟み込みホールドする透明なカバーとにより構成してもよい。そのような構成の装飾具１によれば、裏面に粘着層を持たないプリントシートであっても、連結体として身の回り品等に取り付けることができる。
【００５６】
また、装飾具１の表面もしくはその内部にプリントシートを配置することに代えて、装飾具１の表面もしくは内部に画像を直接印刷等することにより形成してもよい。なお、内部に画像を印刷する場合、透明なカバーにより画像面を覆う等により外部から画像を視認可能とすることになる。
【００５７】
このように、装飾具１に対し予め画像を形成する態様は、例えばプロ野球選手の写真の印刷された装飾具１をコレクターに販売・配布する場合などに有効と思われる。また、広告画像を予め表面に印刷した装飾具１を販売促進グッズとして無料配布することも考えられる。その場合、ユーザは広告画像が好みでない場合は、印刷された広告画像の上に好みのプリントシールを貼り付けることにより、装飾具１を利用することができる。
【００５８】
なお、本願において「画像」とは、例えば文字列や記号などを表示する画像も含む広い概念であり、図形や写真等を示す画像に限定されない。また、本願において「着脱可能」とは、通常のユーザが連結および連結の解除の各々の動作を３秒以内に完了可能であることを意味する。
【産業上の利用可能性】
【００５９】
本発明にかかる装飾具およびフックは、画像のコレクターにとって便利であり、容易に量産が可能であるため、いわゆる製造業に貢献することが期待される。
【符号の説明】
【００６０】
１…装飾具、２…フック、１１…本体部、１２…第１の係着部、１３…第２の係着部、２１…本体部、２２…係着部、１１１…領域、１１２…溝
【図１】
2012010967.tif 000003
【図２】
2012010967.tif 000004
【図３】
2012010967.tif 000005
【図４】
2012010967.tif 000006
【図５】
2012010967.tif 000007
【図６】
2012010967.tif 000008